(57)【特許請求の範囲】
【請求項１】
炊飯器本体と、前記炊飯器本体に着脱自在に収納される鍋と、前記炊飯器本体の後方に配設されたヒンジ軸と、前記ヒンジ軸の略上部に突起物を配置し、前記ヒンジ軸に軸止され開閉自在に前記炊飯器本体の上面を覆う蓋体と、前記蓋体の後方部に配設された前記突起物と対向するコの字形状の板ばねとを備え、前記板ばねはコの字の空いた部分を、前記蓋体閉成時の前記蓋体の下方向に向けて配設し、前記蓋体の開成時に、前記板ばねのコの字形状の空いた部分が、前記突起物を挟持するようにし、前記板ばねのコの字形状内側と前記蓋体との間に固定板を挟持した炊飯器。
【請求項２】
固定板は、弾性を持たせた材料で構成したことを特徴とする請求項１記載の炊飯器。
【請求項３】
固定板の側面部と向かい合う位置に、蓋体上方より壁面を突出させて構成したことを特徴とする請求項１又は２記載の炊飯器。
【発明の詳細な説明】
【技術分野】
【０００１】
本発明は、一般家庭、あるいは業務用に使用する炊飯器に関するものである。
【背景技術】
【０００２】
従来、この種の炊飯器は、図５〜図７に示すように構成していた。以下、その構成について説明する。
【０００３】
図５（ａ）（ｂ）に示すように、炊飯器本体３１は、内部にフランジ付きの鍋３２を着脱自在に収納し、炊飯器本体３１の後方に設けたヒンジ部３３に、一端は開成自在で他端はヒンジ軸３４により枢支した蓋体３５を回動自在に設けている。また、ヒンジ部３３には蓋体３５を開方向に付勢するヒンジばね３６を設けており、ヒンジ部３３の外郭はヒンジカバー３７で覆われている。また、蓋体３５の後端にリブ状の蓋ブレーキ部３８を一体に設けており、対応するヒンジカバー３７には、ばね材により構成した板ばね３９を埋設している。
【０００４】
この板ばね３９の幅寸法は蓋ブレーキ部３８の幅寸法よりも小さい寸法で構成しており、蓋開成時には、ヒンジばね３６の付勢力によりヒンジ軸３４を回転の中心として蓋体３５が開成動作を行うが、蓋体３５の開成角度がある角度以上まで達すると、蓋ブレーキ部３８が板ばね３９にかみ込み、圧接されることにより制動力を発生し、蓋開成時の余力を減衰することで、蓋体３５が開く勢いでバウンドするのを抑制している（例えば、特許文献１参照）。
【０００５】
しかしながら、この構成は蓋ブレーキ部３８が合成樹脂で形成した蓋体３５の端部に一体に設けているため、開成動作時に働く制動力によって、蓋ブレーキ部３８を保持している蓋体３５自身が変形して制動力が不安定になったり、金型構成上必要な抜き勾配や、抜き方向に起因する形状の制約により安定した制動効果を発揮することが困難であるなどの課題を有し、また蓋ブレーキ部３８は蓋体３５と一体に成形されているため、外観部品である蓋体３５に要求される光沢、耐薬品性、成形性等の諸性能が優先され、必ずしも強度や耐磨耗性の面で、蓋ブレーキ部３８に最適な樹脂材料を選択出来ず、製品のばらつきによっては蓋体３５が十分開かずに鍋３２が取り出せないという問題や、逆に蓋体３５の開きが強すぎるために、蓋解放時に蓋体３５がバウンドして品位が劣るなどの第１の課題を有していた。この課題は図６、図７に示すような構成を用いることで解決できる。
【０００６】
図６は、他の従来の炊飯器のヒンジ部周囲断面を示す。このとき、板ばね４１は蓋体４２側に取付けられており、板ばね４１と向かい合う炊飯器本体４３側には突起物４４が取付けられている。
【０００７】
図７は、図６に示す従来の炊飯器の蓋体４２をヒンジ後方側から見た矢視図である。図７において板ばね４１は、コの字形状をしており、内側の空いた部分を下方向に向けて配置されている。板ばね４１におけるブレーキ効果部４５は、コの字形状の内側に位置している。蓋体４２の板ばね４１を挟持するために、固定リブ４６が配設され、前記固定リブ４６には、前記板ばね４１の上下方向の位置規制するための切り欠き部４７を配設している。（例えば、特許文献２参照）。
【先行技術文献】
【特許文献】
【０００８】
【特許文献１】特許第３２７５２１０号公報
【特許文献２】特開２００９−２１９６７５号公報
【発明の概要】
【発明が解決しようとする課題】
【０００９】
しかしながら、前記従来の構成とした場合（特許文献２参照）、板ばねの取付け構成が切り欠き部に差し込むだけの構成となるため、差し込み方向とは逆に力が加えられると、そのまま抜ける方向となり、板ばねのセットが不十分な時や実使用時の衝撃などで板ばねが外れてヒンジ軸周囲に転がり出し、蓋が開閉出来なくなるという新たな第２の課題が発生した。
【００１０】
本発明は、前記第１、第２の課題を共に解決するもので、安定した制動効果を発揮でき、板ばねを容易に所定の位置に保持することの出来る炊飯器を提供することを目的とする。
【課題を解決するための手段】
【００１１】
前記従来の課題を解決するために、本発明の炊飯器は、炊飯器本体の後方に配設されたヒンジ軸と、ヒンジ軸の略上部に突起物を配置し、蓋体の後方部に配設された突起物と対向するコの字形状の板ばねとを備え、板ばねはコの字の空いた部分を、蓋体閉成時の蓋体の下部方向に向けて配設し、蓋体の開成時に、板ばねのコの字形状の空いた部分が、突起物を挟持するようにし、板ばねのコの字形状内側と蓋体との間に固定板を挟持したものである。
【００１２】
これによって、板ばねを所定の位置に設置した後に板ばねの抜け方向に対して固定板で支えられ、板ばねが外れることを防ぐことができる。
【発明の効果】
【００１３】
本発明の炊飯器は、安価で容易に組立てられる板ばねの固定手段を得ることができる。
【図面の簡単な説明】
【００１４】
【図１】本発明の実施の形態１における炊飯器の一部縦断面図
【図２】本発明の実施の形態１における蓋体の後方矢視図
【図３】本発明の実施の形態１における板ばね周囲の上方矢視図
【図４】本発明の実施の形態１における板ばねをセットする方向を示す図
【図５】（ａ）従来の炊飯器の縦断面図（ｂ）同Ａ方向の矢視図
【図６】従来の他の炊飯器の縦断面図
【図７】従来の他の炊飯器における蓋体の後方矢視図
【発明を実施するための形態】
【００１５】
第１の発明は、炊飯器本体と、前記炊飯器本体に着脱自在に収納される鍋と、前記炊飯器本体の後方に配設されたヒンジ軸と、前記ヒンジ軸の略上部に突起物を配置し、前記ヒンジ軸に軸止され開閉自在に前記炊飯器本体の上面を覆う蓋体と、前記蓋体の後方部に配設された前記突起物と対向するコの字形状の板ばねとを備え、前記板ばねはコの字の空いた部分を、前記蓋体閉成時の前記蓋体の下部方向に向けて配設し、前記蓋体の開成時に、前記板ばねのコの字形状の空いた部分が、前記突起物を挟持するようにし、前記板ばねのコの字形状内側と前記蓋体との間に固定板を挟持したことにより、板ばねの外れ方向に対して固定板によって保持される構成となり、板ばねが所定の位置から外れるのを確実に防ぐことができる。
【００１６】
第２の発明は、特に第１の発明の固定板を、弾性を持たせた材料で構成したことにより、固定板を設置する途中だけ変形して固定板の凸部が蓋体の上を乗り越えて板ばねと蓋体
との隙間に入り込み、設置後は固定板の凸部が蓋体に引っかかり、蓋体から抜けないように固定することができる。
【００１７】
第３の発明は、特に第１または第２の発明の固定板の側面部と向かい合う位置に、蓋体上方より壁面を突出させて構成することにより、仮に固定板が外れようとしても蓋体の壁面に干渉し、それ以上外れることが無い。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における炊飯器の一部の断面図である。図１において、炊飯器本体１は有底筒状の鍋収納部２を配設し、着脱自在に鍋３を収納する。鍋収納部２の底部に配設した鍋加熱手段（誘導加熱コイル）４により鍋３を電磁誘導加熱し、炊飯・保温を行う。
【００２０】
前記鍋収納部２の底部には、鍋温度センサー５が配設されており、鍋３の温度を検知して制御部６へ信号を送る。制御部６は、鍋温度センサー５の信号により鍋加熱手段４の通電量を制御し、鍋３への加熱量を変動させることで鍋３の温度を炊飯・保温時に適した温度に制御をすることができる。
【００２１】
炊飯器本体１の上部は、炊飯器本体１の後方上部に配設したヒンジ軸７にて軸止した開閉自在な蓋体８で覆われている。蓋体８は外郭部を構成する外蓋８ａと、鍋３に向かい合う面を構成する外蓋カバー８ｂの２部品に分割されたものが嵌合されて一体となっている。
【００２２】
次に、蓋体８の開閉動作について説明する。蓋体８の先端には蓋係合部９を配設しており、炊飯器本体１の前方部のフックボタン１０と蓋閉時に係合し、炊飯・保温中に鍋３の圧力により蓋体８が開成するのを防止している。蓋体８はヒンジばね１１によって、常時開成付勢力が与えられており、フックボタン１０を押すと、蓋係合部９とフックボタン１０の係合が外れて蓋体８が開成し、前記ヒンジ軸７を中心に回動して開く。ここで、ヒンジばね１１による開成付勢力は蓋体９が開くほど低下していくが、蓋体８の開成が途中で止まらないように、必要最低限度のトルクより約１割程度多く設定している。
【００２３】
蓋体８のうち、外蓋カバー８ｂのヒンジ軸７前方部には、板ばね１２を配設している。板ばね１２は、例えばステンレスバネ鋼を用いて、弾性限度が高い材料を選定している。また、炊飯器本体１のヒンジ軸７の上方には、突起物１３を配設している。突起物１３は、例えば、ポリアセタール等の表面の摩擦抵抗が少なく、且つシャルピー衝撃強度の高いエンジニアプラスチックを選定し、炊飯器本体１に固定されている。
【００２４】
次に図２、図３を用いて、本発明の板ばね１２の形状及び取り付け構成について説明する。図２は蓋体閉成時の外蓋カバー８ｂをヒンジ後方側から見た矢視図、図３は蓋体閉成時の外蓋カバー８ｂの板ばね１２及びその周囲を下方から見た断面図である。
【００２５】
図２より、板ばね１２はコの字形状をしており、そのコの字形状の空いた部分を下方向に向けて位置している。板ばね１２のブレーキ効果部１４は、コの字形状の内側に位置している。外蓋カバー８ｂには板ばね１２を挟持するための固定リブ１５が配設され、固定リブ１５には、板ばね１２の上下方向の位置規制するための切り欠き部１６を配設している。外蓋カバー８ｂの固定面１７と板ばね１２のコの字状最奥部との間には、固定板１８が差し込まれている。
【００２６】
以上のように構成された炊飯器について、以下その動作、作用を説明する。
【００２７】
まず、板ばね１２を外蓋カバー８ｂにセットする時の状態を図４に示す。板ばね１２は、外蓋カバー８ｂの後方下側より図４の矢印で示す方向に差し込んでいき、板ばね１２を切り欠き部１６に収める。このとき、板ばね１２のコの字状最奥部は固定面１７より凸の位置に配置される。
【００２８】
板ばね１２は、切り欠き部１６に差し込んだだけの状態のため、このままではセットが不十分な場合やセット後の衝撃などで逆の方向に抜ける可能性がある状態になっている。
【００２９】
ここで固定板１８のセットを行う。固定板１８は、板ばね１２をセットした状態で図４に示す方向からセットする。固定板１８は、例えばＰＯＭやＰＰなどの弾力性のある樹脂材料で形作られている。固定板１８の両脇には凸部１９を設けており、セット後は固定面１７の端面と凸部１９は上下方向にオーバーラップした寸法関係となっており、固定板１８の抜け方向に対して引っかかりを持たせるようになっている。
【００３０】
固定板１８をセットする時は、固定板１８をたわませて凸部１９を固定面１７から押し上げて逃がしながら挿入する。
【００３１】
また、図１より固定板１８の前方対向部には、外蓋８ａで構成された壁面２０が配置されている。壁面２０は、外蓋８ａと外蓋カバー８ｂとを合わせて蓋体８に組み上げた後に、固定板１８の端から１ｍｍの距離をおいている。固定板１８は、板ばね１２に対して５ｍｍオーバーラップさせた位置まで差し込まれている。従って、仮に凸部１９が外れたとしても壁面２０に当接して固定板１８と板ばね１２が４ｍｍ以上オーバーラップした状態になっているため、板ばね１２は固定板１８によって確実に保持される。
【００３２】
この状態で蓋体８が開閉する時の動作を説明する。蓋体８が開閉すると、ブレーキ効果部１４に突起物１３が入りこむ。板ばね１２のブレーキ効果部１４は、蓋体８が６０度開成したところから、突起物１３を次第に挟持するようになる。そして、蓋体８が９０度の開成したところで、板ばね１２と突起物１３は１．５ｍｍの挟持寸法が発生し、蓋体８が６０度から９０度の開成する間で、板ばね１２は１．５ｍｍの挟持寸法により２００Ｎの反力が発生し、その反力によって、蓋体８が開成する際に発生する慣性力に対してブレーキ効果を得ることになる。
【００３３】
以上のように、本実施の形態においては板ばね１２と固定面１７との間に固定板１８を差し込むことにより、板ばね１２の外れ方向に対して所定の位置に確実に規制させることが出来る。
【００３４】
なお、本実施の形態の固定板１８を樹脂材料ではなく、ばね性のある板金材料をプレス加工して形作ることにより、特に、設置時に固定板を大きくたわませることとなり、良好なセット性と固定面１７への掛かり代の確保を両立させることができる。
【産業上の利用可能性】
【００３５】
以上のように、本発明にかかる炊飯器は、蓋開時のブレーキ構成を安価で単純に得る事が可能となるので、家庭用又は業務用の炊飯器等の用途に適用できる。
【符号の説明】
【００３６】
１  炊飯器本体
３  鍋
７  ヒンジ軸
８  蓋体
１２  板ばね
１３  突起物
１８  固定板
【図１】
0005445261.tif 000002
【図２】
0005445261.tif 000003
【図３】
0005445261.tif 000004
【図４】
0005445261.tif 000005
【図５】
0005445261.tif 000006
【図６】
0005445261.tif 000007
【図７】
0005445261.tif 000008